(57)【要約】      （修正有）【課題】発光方法のバリエーションを増やすことができる車両用灯具を提供する。【解決手段】所定方向に延びる導光レンズ本体２０ａと、それに対して交差する方向に延びるリブ部２４とを含む導光レンズ２０と、導光レンズの後方に配置された反射面３１と、導光レンズ本体内を所定方向に導光される光を発光する光源とを備える。導光レンズ本体は、第１反射面２２と、出光面２５と、第１反射面からの反射光の一部がリブ部内を先端部に向けて進行し、かつ、第１反射面からの反射光の他の一部が出光面から出光するように、第１反射面からの反射光の少なくとも一部を内面反射する第２反射面２３とを含む。リブ部は、前面２４ｃとその反対側の後面２４ｄとを含み、後面は、リブ部内の先端部に向けて進行する第２反射面からの光が前方に照射されるように、リブ部内を前面に向けて内面反射する個別反射面２４ａ１、２４ａ２を含む。【選択図】図５
2018120708.tif 000002
【特許請求の範囲】
【請求項１】
所定方向に延びる導光レンズ本体と、前記所定方向に対して交差する方向に延びるリブ部と、を含む導光レンズと、
前記導光レンズの後方に配置された反射面と、
前記導光レンズ本体内を前記所定方向に導光される光を発光する光源と、を備え、
前記導光レンズ本体は、前記導光レンズ本体内を導光される前記光源からの光の少なくとも一部を内面反射する第１反射面と、出光面と、前記第１反射面からの反射光の一部が前記リブ部内をその先端部に向けて進行し、かつ、前記第１反射面からの反射光の他の一部が前記出光面から出光するように、前記第１反射面からの反射光の少なくとも一部を内面反射する第２反射面と、を含み、
前記リブ部は、前面と、その反対側の後面と、を含み、
前記リブ部の後面は、前記リブ部内をその先端部に向けて進行する前記第２反射面からの光が前記前面から出光して前方に照射されるように、前記リブ部内をその先端部に向けて進行する前記第２反射面からの光を前記前面に向けて内面反射する少なくとも一つの個別反射面を含み、
前記導光レンズ本体の前記出光面の面形状は、当該出光面から出光する前記第２反射面からの光が前記反射面に入射するように構成されており、
前記反射面の面形状は、当該反射面に入射する前記導光レンズ本体の前記出光面からの光を前方に向けて反射するように構成されている車両用灯具。
【請求項２】
所定方向に延びる導光レンズ本体と、前記所定方向に対して交差する方向に延びるリブ部と、を含む導光レンズと、
前記導光レンズの後方に配置された反射面と、
前記導光レンズ本体内を前記所定方向に導光される光を発光する光源と、を備え、
前記導光レンズ本体は、第３反射面と、出光面と、を含み、
前記第３反射面は、前記導光レンズ本体内を導光される前記光源からの光の一部が前記リブ部内をその先端部に向けて進行し、かつ、前記導光レンズ本体内を導光される前記光源からの光の他の一部が前記出光面から出光するように、前記導光レンズ本体内を導光される前記光源からの光の少なくとも一部を内面反射し、
前記リブ部は、前面と、その反対側の後面と、を含み、
前記リブ部の後面は、前記リブ部内をその先端部に向けて進行する前記第３反射面からの光が前記前面から出光して前方に照射されるように、前記リブ部内をその先端部に向けて進行する前記第３反射面からの光を前記前面に向けて内面反射する少なくとも一つの個別反射面を含み、
前記導光レンズ本体の前記出光面の面形状は、当該出光面から出光する前記第３反射面からの光が前記反射面に入射するように構成されており、
前記反射面の面形状は、当該反射面に入射する前記導光レンズ本体の前記出光面からの光を前方に向けて反射するように構成されている車両用灯具。
【請求項３】
前記反射面は、正面視で前記リブ部を透過して視認されるように前記リブ部の後方に配置された請求項１又は２に記載の車両用灯具。
【請求項４】
前記導光レンズ本体と前記リブ部とが別体に形成されている請求項１から３のいずれか１項に記載の車両用灯具。
【発明の詳細な説明】
【技術分野】
【０００１】
本発明は、車両用灯具に関し、特に、発光方法のバリエーションを増やすことができる車両用灯具に関する。
【背景技術】
【０００２】
従来、導光部材から出射された光を拡散反射する第１の反射面及び第２の反射面を有することで、均一な発光を実現することができる車両用灯具が提案されている（例えば、特許文献１（図３）参照）。
【先行技術文献】
【特許文献】
【０００３】
【特許文献１】特開２０１６−０２１４１０号公報
【発明の概要】
【発明が解決しようとする課題】
【０００４】
しかしながら、特許文献１に記載の車両用灯具では、均一な発光を実現することができるものの、発光方法のバリエーションを十分に確保できない場合があるという課題がある。
【０００５】
本発明は、上記事情に鑑みてなされたものであり、従来よりも発光方法のバリエーションを増やすことができる車両用灯具を提供することを目的とする。
【課題を解決するための手段】
【０００６】
上記目的を達成するために、本発明の一つの側面は、所定方向に延びる導光レンズ本体と、前記所定方向に対して交差する方向に延びるリブ部と、を含む導光レンズと、前記導光レンズの後方に配置された反射面と、前記導光レンズ本体内を前記所定方向に導光される光を発光する光源と、を備え、前記導光レンズ本体は、前記導光レンズ本体内を導光される前記光源からの光の少なくとも一部を内面反射する第１反射面と、出光面と、前記第１反射面からの反射光の一部が前記リブ部内をその先端部に向けて進行し、かつ、前記第１反射面からの反射光の他の一部が前記出光面から出光するように、前記第１反射面からの反射光の少なくとも一部を内面反射する第２反射面と、を含み、前記リブ部は、前面と、その反対側の後面と、を含み、前記リブ部の後面は、前記リブ部内をその先端部に向けて進行する前記第２反射面からの光が前記前面から出光して前方に照射されるように、前記リブ部内をその先端部に向けて進行する前記第２反射面からの光を前記前面に向けて内面反射する少なくとも一つの個別反射面を含み、前記導光レンズ本体の前記出光面の面形状は、当該出光面から出光する前記第２反射面からの光が前記反射面に入射するように構成されており、前記反射面の面形状は、当該反射面に入射する前記導光レンズ本体の前記出光面からの光を前方に向けて反射するように構成されている車両用灯具であることを特徴とする。
【０００７】
この側面によれば、従来よりも発光方法のバリエーションを増やすことができる車両用灯具を提供することができる。また、点灯フィーリングを向上させることもできる。
【０００８】
これは、導光レンズ本体の出光面からの光を前方に向けて反射するように構成された反射面に加えて、第２反射面からの光を前方に向けて反射する個別反射面を備えているため、個別反射面の形状を異ならせることで、反射面による発光と個別反射面による発光とが組み合わされた様々な発光見栄えを実現することができることによるものである。
【０００９】
本発明の別の側面は、所定方向に延びる導光レンズ本体と、前記所定方向に対して交差する方向に延びるリブ部と、を含む導光レンズと、前記導光レンズの後方に配置された反射面と、前記導光レンズ本体内を前記所定方向に導光される光を発光する光源と、を備え、前記導光レンズ本体は、第３反射面と、出光面と、を含み、前記第３反射面は、前記導光レンズ本体内を導光される前記光源からの光の一部が前記リブ部内をその先端部に向けて進行し、かつ、前記導光レンズ本体内を導光される前記光源からの光の他の一部が前記出光面から出光するように、前記導光レンズ本体内を導光される前記光源からの光の少なくとも一部を内面反射し、前記リブ部は、前面と、その反対側の後面と、を含み、前記リブ部の後面は、前記リブ部内をその先端部に向けて進行する前記第３反射面からの光が前記前面から出光して前方に照射されるように、前記リブ部内をその先端部に向けて進行する前記第３反射面からの光を前記前面に向けて内面反射する少なくとも一つの個別反射面を含み、前記導光レンズ本体の前記出光面の面形状は、当該出光面から出光する前記第３反射面からの光が前記反射面に入射するように構成されており、前記反射面の面形状は、当該反射面に入射する前記導光レンズ本体の前記出光面からの光を前方に向けて反射するように構成されている車両用灯具であることを特徴とする。
【００１０】
この側面によれば、従来よりも発光方法のバリエーションを増やすことができる車両用灯具を提供することができる。また、点灯フィーリングを向上させることもできる。
【００１１】
これは、導光レンズ本体の出光面からの光を前方に向けて反射するように構成された反射面に加えて、第３反射面からの光を前方に向けて反射する個別反射面を備えているため、個別反射面の形状を異ならせることで、反射面による発光と個別反射面による発光とが組み合わされた様々な発光見栄えを実現することができることによるものである。
【００１２】
また、上記発明において、好ましい態様は、前記反射面は、正面視で前記リブ部を透過して視認されるように前記リブ部の後方に配置されたことを特徴とする。
【００１３】
また、上記発明において、好ましい態様は、前記導光レンズ本体と前記リブ部とが別体に形成されていることを特徴とする。
【図面の簡単な説明】
【００１４】
【図１】車両用灯具１０の分解斜視図である。
【図２】車両用灯具１０の上面図である。
【図３】図２のＡ−Ａ断面図である。
【図４】図２のＢ−Ｂ断面図である。
【図５】光源１２からの光路を説明する図である。
【図６】光源１２からの光路を説明する図である。
【図７】リフレクタ３０の反射面３１の面形状の決定方法を説明する図である。
【図８】車両用灯具１０Ａ（変形例）の縦断面図である。
【図９】車両用灯具１０Ａ（変形例）の縦断面図である。
【図１０】導光レンズ２０（変形例）の縦断面図である。
【図１１】図８の導光レンズ２０を備える車両用灯具１０を搭載した車両５０の背面図である。
【図１２】車両用灯具１０（変形例）の縦断面図である。
【発明を実施するための形態】
【００１５】
以下、本発明の一実施形態である車両用灯具１０について添付図面を参照しながら説明する。各図において対応する構成要素には同一の符号が付され、重複する説明は省略される。
【００１６】
図１は、車両用灯具１０の分解斜視図である。また、図２は、車両用灯具１０の正面図である。また、図３は、図２のＡ−Ａ断面図である。さらに、図４は、図２のＢ−Ｂ断面図である。
【００１７】
図１から図４に示す車両用灯具１０は、例えば、テールランプ、ターンランプ又はストップランプとして機能する標識用ランプ（又は信号用ランプ）であり、車両（図示せず）の後端部の左側及び右側に搭載される。
【００１８】
図１から図４に示すように、車両用灯具１０は、光源１２と、基板１４と、エクステンション１６と、導光レンズ２０と、リフレクタ３０とを備える。車両用灯具１０は、図示しないが、アウターレンズとハウジングとによって構成される灯室内に配置され、ハウジング等に取り付けられる。
【００１９】
光源１２は、例えば、発光色が青色域のＬＥＤ素子（例えば、１ｍｍ角の発光面を含むＬＥＤ素子）とこれを覆う黄色域の波長変換部材（例えば、ＹＡＧ蛍光体）とを組み合わせた構造の白色ＬＥＤ光源である。なお、光源１２の個数は１以上であればよい。
【００２０】
基板１４は、金属製の基板であり、基板の表面に光源１２を実装する。基板１４は、ハウジング等に固定される。
【００２１】
導光レンズ２０は、所定方向（以下、長手方向とも呼ぶ）に延びる導光レンズ本体２０ａと、導光レンズ本体２０ａの側面から、長手方向（及び第１反射面２２からの反射光の進行方向）に対して交差する方向に延びる板状のリブ部２４と、を含む。リブ部２４は、長手方向にも延びている。
【００２２】
導光レンズ本体２０ａの側面は、第１反射面２２と、出光面２５（屈折面）と、第２反射面２３と、を含む。第１反射面２２、出光面２５、第２反射面２３は、それぞれ、長手方向に延びている。導光レンズ２０は、ポリカーボネイト製であってもよいし、それ以外のアクリル等の透明樹脂製であってもよい。また、導光レンズ２０は、例えば、シリコン樹脂製であってよい。さらに、導光レンズ２０は、例えば、ガラス製であってもよい。
【００２３】
図１及び図２に示すように、 導光レンズ本体２０ａは、その一端部に入光面２１（以下、入光部２１ともいう）を含む。
【００２４】
入光面２１は、光源１２（基板１４）と対向する位置に設けられた面であり、光源１２からの光を導光レンズ２０内に入光する。入光面２１は、図１及び図２に示すように、円柱形状等の凸面であってもよいし、フラットな面であってもよい。
【００２５】
導光レンズ本体２０ａは、長手方向の一端部（入光面２１）から入光した光源１２からの光を長手方向の他端部に向けて導光する。
【００２６】
第１反射面２２は、導光レンズ本体２０ａ内をその長手方向に導光される光源１２からの光の少なくとも一部を当該第１反射面２２に対して前方に向けて内面反射（全反射）する面で、例えば、複数のレンズカットを有するレンズカット面である。このレンズカット面としては、例えば、特開２０１６−１５７５５２号公報に記載のものを用いることができる。
【００２７】
第２反射面２３は、第１反射面２２からの反射光の少なくとも一部を内面反射する面で、第１反射面２２からの反射光の一部がリブ部２４内をその先端部に向けて進行し（図５参照）、かつ、第１反射面２２からの反射光の他の一部が出光面２５から出光する（図６参照）ように、第１反射面２２の前方に傾斜した姿勢で設けられる。
【００２８】
リブ部２４は、前面２４ｃと、その反対側の後面２４ｄと、を含む。
【００２９】
リブ部２４の後面２４ｄは、リブ部２４内をその先端部に向けて進行する第２反射面２３からの光が前面２４ｃから出光して前方に照射されるように、リブ部２４内をその先端部に向けて進行する第２反射面２３からの光を前面２４ｃに向けて内面反射する個別反射面２４ａ１、２４ａ２を含む。なお、個別反射面は、少なくとも一つあればよい。
【００３０】
個別反射面２４ａ１、２４ａ２は、導光レンズ本体２０ａの長手方向に直線状に延びている。
【００３１】
この長手方向に直線状に延びる個別反射面２４ａ１、２４ａ２が第２反射面２３からの光を前方に向けて反射することで、二本のライン状の発光を実現することができる。また、個別反射面２４ａ１、２４ａ２として、長手方向にドット状に配置された反射面を用いることで、ドット状の発光を実現することもできる。さらに、個別反射面２４ａ１、２４ａ２として、模様、文字等の様々な形状の反射面を用いることで、様々な発光見栄えを実現することができる。
【００３２】
導光レンズ本体２０ａの出光面２５の面形状は、当該出光面２５から屈折して出光する第２反射面２３からの光が反射面３１の全域又は一部領域（発光エリアとしたい領域）に入射する（図６参照）ように構成されている。
【００３３】
リフレクタ３０は、反射面３１を含む。反射面３１は、アルミ蒸着等によって形成される。反射面３１は、正面視でリブ部２４を透過して視認されるようにリブ部２４の後方に配置されている（図３等参照）。
【００３４】
また、反射面３１の面形状は、反射面３１に入射する導光レンズ２０の出光面２５からの光を前方に向けて反射するように構成されている（図６参照）。
【００３５】
導光レンズ２０の出光面２５の面形状、及び、反射面３１の面形状のうち少なくとも一方を調整することで、反射面３１の均一発光（均一に発光しているように視認させること）又は不均一発光を実現することができる。
【００３６】
エクステンション１６は、正面視で導光レンズ本体２０aが視認されないように、当該導光レンズ本体２０aを覆うように配置される。
【００３７】
図７は、リフレクタ３０の反射面３１の面形状の決定方法を説明する図である。
【００３８】
例えば、図７に示す導光レンズ２０において、初めに、導光レンズ２０の発光エリアからエクステンション１６が位置する方向に０．５（ｍｍ）以上オフセットした面４１を決定する。また、導光レンズ本体２０ａの下端部から後方に０．５（ｍｍ）以上オフセットした面４２を決定する。そして、面４１と面４２との交点を交点４５として決定する。次に、導光レンズ本体２０ａの前面から前方に０．５（ｍｍ）以上オフセットした面４３を決定する。また、発光エリアの終点から前方に伸びる面４４を決定する。そして、面４３と面４４との交点を交点４６として決定する。その後、交点４５と面４２がタンジェントで繋がるように、交点４５と交点４６とをスプラインで繋ぐ。
【００３９】
これにより、出光面２５及び反射面３１を経由した光を前方に向けて進行させる反射面３１の面形状を決定することができる。
【００４０】
以上説明したように、本実施形態によれば、従来よりも発光方法のバリエーションを増やすことができる車両用灯具１０を提供することができる。また、点灯フィーリングを向上させることもできる。
【００４１】
これは、導光レンズ本体２０ａの出光面２５からの光を前方に向けて反射するように構成された反射面３１に加えて、第２反射面２３からの光を前方に向けて反射する個別反射面２４ａ１、２４ａ２を備えているため、個別反射面２４ａ１、２４ａ２の形状を異ならせることで、反射面３１による発光と個別反射面２４ａ１、２４ａ２による発光とが組み合わされた様々な発光見栄えを実現することができることによるものである。
【００４２】
また、本実施形態によれば、光源１２の点灯時及び非点灯時における車両用灯具１０の正面視での見栄えを向上させることができる。
【００４３】
具体的には、光源１２の点灯時、正面視で反射面３１による面発光の中に、個別反射面２４ａ１、２４ａ２の発光による発光（例えば、２本の線発光）を含めることができる。
【００４４】
また、光源１２の非点灯時、正面視でリブ部２４を透過して反射面３１が視認されるクリスタル感のある見栄えを実現することができる。
【００４５】
これは、反射面３１が、正面視でリブ部２４を透過して視認されるようにリブ部２４の後方に配置されていることによるものである。
【００４６】
次に、変形例について説明する。
【００４７】
上記実施形態では、導光レンズとして、第２反射面２３を含む導光レンズ２０を用いた例について説明したが、これに限らない。例えば、図８に示すように、導光レンズとして、第２反射面２３を省略した導光レンズ２０Ａを用いてもよい。
【００４８】
本変形例の導光レンズ２０Ａは、所定方向（以下、長手方向とも呼ぶ）に延びる導光レンズ本体２０Ａａと、長手方向に対して交差する方向（及び第３反射面２２Ａからの反射光の進行方向）に延びる板状のリブ部２４Ａと、を含む。リブ部２４Ａは、長手方向にも延びている。
【００４９】
導光レンズ本体２０Ａａの側面は、第３反射面２２Ａと、出光面２５Ａと、を含む。第３反射面２２Ａ、出光面２５Ａは、それぞれ、長手方向に延びている。
【００５０】
第３反射面２２Ａは、導光レンズ本体２０Ａａ内を導光される光源１２からの光の少なくとも一部を当該第３反射面２２Ａに対して前方に向けて内面反射する面で、例えば、複数のレンズカットを有するレンズカット面である。このレンズカット面としては、例えば、特開２０１６−１５７５５２号公報に記載のものを用いることができる。
【００５１】
リブ部２４Ａ及び出光面２５Ａは、第３反射面２２Ａからの反射光が入射するように、第３反射面２２Ａの前方に設けられる。
【００５２】
第３反射面２２Ａは、導光レンズ本体２０Ａａ内を導光される光源１２からの光の一部がリブ部２４内をその先端部に向けて進行し、かつ、導光レンズ本体２０Ａａ内を導光される光源１２からの光の他の一部が出光面２５Ａから出光するように、導光レンズ本体２０Ａａ内を導光される光源１２からの光の少なくとも一部を内面反射する。
【００５３】
リブ部２４Ａは、前面２４Ａｃと、その反対側の後面２４Ａｄと、を含む。
【００５４】
リブ部２４Ａの後面２４Ａｄは、リブ部２４Ａ内をその先端部に向けて進行する第３反射面２２Ａからの光が前面２４Ａｃから出光して前方に照射されるように、リブ部２４Ａ内をその先端部に向けて進行する第３反射面２２Ａからの光を前面２４Ａｃに向けて内面反射する個別反射面２４Ａａ１、２４Ａａ２を含む。なお、個別反射面は、少なくとも一つあればよい。
【００５５】
導光レンズ本体２０Ａａの出光面２５Ａの面形状は、当該出光面２５Ａから屈折して出光する第３反射面２２Ａからの光が反射面３１の全域又は一部領域（発光エリアとしたい領域）に入射する（図９参照）ように構成されている。
【００５６】
反射面３１の面形状は、当該反射面３１に入射する導光レンズ本体２０Ａａの出光面２５Ａからの光を前方に向けて反射するように構成されている（図９参照）。
【００５７】
本変形例の導光レンズ２０Ａを用いても、上記実施形態と同様の効果を奏することができる。
【００５８】
また、上記実施形態では、本発明の車両用灯具をテールランプ、ターンランプ又はストップランプとして機能する標識用ランプ（又は信号用ランプ）に適用した例について説明したが、これに限らない。例えば、遊戯機器用照明具にも本発明の車両用灯具を適用してもよい。
【００５９】
また、上記実施形態では、反射面３１によって反射された光の少なくとも一部がリブ部２４を透過する例について説明したが、これに限らない。例えば、導光レンズ２０と反射面３１との位置が離れており、反射面３１によって反射した光がリブ部２４を透過しないものであってもよい。
【００６０】
また、上記実施形態では、入光部２１が導光レンズ２０における長手方向の一端部に設けられている例について説明したが、これに限らない。例えば、図１０に示すように、入光部２１は、導光レンズ２０の一端部と他端部との間に設けられていてもよい。この場合、図１０に示すように、光源１２からの光を導光レンズ本体２０ａの両端部に向けて反射する反射面２６を設けるのが望ましい。
【００６１】
また、上記実施形態では、導光レンズとして、所定方向に直線状に延びた導光レンズ２０（及び反射面３１）を用いた例について説明したが、これに限らない。例えば、図１１に示すように、所定方向に曲線状に延びた導光レンズ２０（及び反射面３１）を用いてもよい。
【００６２】
なお、光源１２及び入光部２１は、導光レンズ２０における長手方向の両端部にそれぞれ設けられていてもよい。
【００６３】
図１２は、車両用灯具１０（変形例）の縦断面図である。
【００６４】
また、上記実施形態では、リブ部２４が導光レンズ本体２０ａと一体に形成されている例について説明したが、これに限らない。例えば、図１２に示すように、リブ部２４は、導光レンズ本体２０ａと別体に形成されていてもよい。この場合、導光レンズ本体２０ａの出光面２７とリブ部２４の入光面２４ｅとは、例えば、面接触した状態で位置決め（固定）される。なお、導光レンズ本体２０ａの出光面２７とリブ部２４の入光面２４ｅとは、例えば、面接触しない状態で平行になるように位置決めされてもよい。
【００６５】
また、上記実施形態では、導光レンズ本体２０ａの断面形状が多角形である場合について説明したが、これに限らない。例えば、導光レンズ本体２０ａの断面形状は、円形であってもよいし、その他の形状であってもよい。
【００６６】
また、上記実施形態では、反射面として、アルミ蒸着等によって形成された反射面３１を用いた例について説明したが、これに限らない。例えば、反射面として、白色塗装された反射面、その他の反射面を用いてもよい。
【００６７】
上記実施形態で示した各数値は全て例示であり、これと異なる便宜の数値を用いることができるのは無論である。
【００６８】
上記実施形態はあらゆる点で単なる例示にすぎない。上記実施形態の記載によって本発明は限定的に解釈されるものではない。本発明はその精神または主要な特徴から逸脱することなく他の様々な形で実施することができる。
【符号の説明】
【００６９】
１０…車両用灯具、１２…光源、１４…基板、１６…エクステンション、２０、２０Ａ…導光レンズ、２０ａ、２０Ａａ…導光レンズ本体、２１…入光面、２２…第１反射面、２２Ａ…第３反射面、２３…第２反射面、２４、２４Ａ…リブ部、２４ａ１、２４ａ２、２４Ａａ１、２４Ａａ２…個別反射面、２４ｃ、２４Ａｃ…前面、２４ｄ、２４Ａｄ…後面、２４ｅ…入光面、２５、２５Ａ…出光面、２６…反射面、２７…出光面、３０…リフレクタ、３１…反射面、４１、４２、４３、４４…面、４５、４６…交点、５０…車両
【図１】
2018120708.tif 000003
【図２】
2018120708.tif 000004
【図３】
2018120708.tif 000005
【図４】
2018120708.tif 000006
【図５】
2018120708.tif 000007
【図６】
2018120708.tif 000008
【図７】
2018120708.tif 000009
【図８】
2018120708.tif 000010
【図９】
2018120708.tif 000011
【図１０】
2018120708.tif 000012
【図１１】
2018120708.tif 000013
【図１２】
2018120708.tif 000014